(57)【要約】【課題】  筺体構造の既存の構造体を用いて雨だれによる汚れを軽減することができる屋外設置用筺体を提供する。【解決手段】  複数の側板１００と天板２００とを含んで形成される屋外設置用筺体１において、一対の側板１００の間に、この屋外設置用筺体１の接地面に雨水を排水する排水通路１６０を形成し、天板２００に、この天板２００に降る雨水を排水通路１６０の上端に導くための凹状通路２０１を形成する。【選択図】図１
2011214726.tif 000002
【特許請求の範囲】
【請求項１】
複数の側板と天板とを含んで形成される屋外設置用筺体において、
一対の前記側板の間に、この屋外設置用筺体の接地面に雨水を排水する排水通路を形成し、
前記天板に、この天板に降る雨水を前記排水通路の上端に導くための凹状通路を形成した
ことを特徴とする屋外設置用筺体。
【請求項２】
前記請求項１記載の屋外設置用筺体において、
前記排水通路は、一対の側板の結合部に形成される凹状の溝部である
ことを特徴とする屋外設置用筺体。
【請求項３】
前記請求項１記載の屋外設置用筺体において、
前記排水通路は、着脱可能な飾りパネルで隠蔽される前記屋外設置用筺体の１つの側面であって、前記凹状通路は飾りパネルで隠蔽される１つの側面に雨水を導くものである
ことを特徴とする屋外設置用筺体。
【請求項４】
前記請求項１記載の屋外設置用筺体において、
前記排水通路は、一対の側板の結合部に形成される凹状の溝部と、この溝部を隠蔽する飾りパネルである
ことを特徴とする屋外設置用筺体。
【請求項５】
前記請求項１記載の屋外設置用筺体において、
前記排水通路は、一対の側板の結合部に設けられる連結部材の内部に形成される中空部である
ことを特徴とする屋外設置用筺体。
【請求項６】
前記請求項２から５記載のいずれかの屋外設置用筺体において、
前記凹状通路は、前記天板の上面周囲に形成される凹状の排水溝と、この排水溝と排水通路とを結ぶ連通路とを含んで構成される
ことを特徴とする屋外設置用筺体。
【請求項７】
前記請求項２から５記載のいずれかの屋外設置用筺体において、
前記凹状通路は、前記天板周囲の最頂点部から前記排水通路の上端部近傍の谷部に向かって傾斜する傾斜面である
ことを特徴とする屋外設置用筺体。
【発明の詳細な説明】
【技術分野】
【０００１】
本発明は、給湯器用の貯水タンクや空気調和機の室外機などの屋外設置用筺体の構造に関し、特に、雨だれによる汚れを軽減できる屋外設置用筺体に関する。
【背景技術】
【０００２】
住宅の敷地内に設置される給湯器用貯水タンクや空気調和機の室外機は、鋼板製の板材で筺体を覆う構造が主流である。これらの筺体は、周囲を囲む側板を、上方から天板で包む天板構造を取ることが一般的である。このような天板構造を採用することにより、天板に降る雨は周囲の側板に流れ、この側板をつたって接地面に導かれるので、筺体内への雨水の浸入を軽減することができる。
【０００３】
しかし、この従来構造では、側板をつたって雨水を流すため、側板には雨だれによる汚れが付いてしまうという課題がある。特に、近年話題を呼んでいる冷凍サイクルを利用した給湯器用の熱交換器を備えた貯水タンクは、その高さが２ｍ以上あるため、その筺体面が雨だれなどで汚れると、周囲から見えてしまい、美観上の課題がある。しかも、これらの機器は、狭い敷地内に設置されることが多いことから、清掃し難い環境にある。従来技術では、これら大型の機器は、汚れが目立ちにくい色などを施すことが一般的であるが、雨だれによる汚れは、筋状に付いてしまうために目立ちやすい。
【０００４】
また、室外機などの従来例においては、筺体の側面に設けた表示ラベルの雨だれによる汚れを軽減するために、表示ラベルの上部に突出部を形成して、雨だれが表示ラベルに流れなくする提案がなされている。
【先行技術文献】
【特許文献】
【０００５】
【特許文献１】特開２００８−１６６３３７号公報
【発明の概要】
【発明が解決しようとする課題】
【０００６】
前記従来例では、側面に設けた表示ラベルへの雨水による汚れを軽減することができるが、この構造は部分的な汚れ防止には効果があるものの、筺体全体への汚れ防止には無理がある。また、物置のように、屋根を付けることも解決策であるが、この屋根からの雨水を地面に戻すには、雨どいや、この雨どいに雨水を導く屋根などの新たな構造を準備しなければならず、構造が複雑となる。
【０００７】
そこで、この発明の目的は、筺体構造の既存の構造体を用いて雨だれによる汚れを軽減することができる屋外設置用筺体を提供することにある。
【課題を解決するための手段】
【０００８】
本発明では、前記目的を達成するために、複数の側板と天板とを含んで形成される屋外設置用筺体において、一対の前記側板の間に、この屋外設置用筺体の接地面に雨水を排水する排水通路を形成し、前記天板に、この天板に降る雨水を前記排水通路の上端に導くための凹状通路を形成する。
【発明の効果】
【０００９】
本発明によれば、従来の単純なつき合わせによる一対の側板の間に排水通路を形成することにより、突き合わせの精度を低く抑えて加工工程と組立工程の簡素化が図れるとともに、天板に前記排水通路へ雨水を導く凹状通路を備えることにより、天板の強度を強化しつつ、天板に降る雨水を排水通路を介して接地面に排出することができるから、天板の周囲の側板の雨だれによるよごれを軽減することができる。
【図面の簡単な説明】
【００１０】
【図１】第１実施例に係る給湯器用貯水タンクの概略構成図である。
【図２】第１実施例に係る給湯器用貯水タンクの部品展開図である。
【図３】第２実施例に係る給湯器用貯水タンクの外観図である。
【図４】第２実施例に係る給湯器用貯水タンクの構造図である。
【図５】第３実施例に係る給湯器用貯水タンクの概略構成図である。
【図６】第４実施例に係る給湯器用貯水タンクの概略構成図である。
【図７】第５実施例に係る給湯器用貯水タンクの概略構成図である。
【図８】第６実施例に係る給湯器用貯水タンクの概略構成図である。
【発明を実施するための形態】
【００１１】
以下、図１から図８を参照して、この発明に係る屋外設置用筺体を具体的に説明する。以下の説明では冷凍サイクルを利用した給湯器の熱交換器付貯水タンクを事例に説明するが、これに限定されるものではない。ここで、図１と図２が第１実施例、図３と図４が第２実施例、図５が第３実施例、図６が第４実施例、図７が第５実施例、図８が第６実施例を示している。なお、同一の部位や方向などは同一符号を持って示し、重複した説明を省略する。
【００１２】
図１と図２を参照して、第１実施例の屋外設置用筺体に係る熱交換器付の給湯器用貯水タンクを具体的に説明する。ここで、図１は、第１実施例に係る給湯器用貯水タンクの概略構成図である。図２は、第１実施例に係る給湯器用タンクの部品展開図であり、（ａ）図が筺体の部品展開図、（ｂ）図が筺体の横断面図である。
【００１３】
図１と図２において、符号１で総括的に示す給湯器用貯水タンクは、熱交換器と給水タンクを内蔵して水道配管と接続され、熱交換器と圧縮機を備えた図示しない冷凍サイクル装置との間で冷媒による熱交換を行って、水道管から取り込んだ水道水を温水にして家庭内水道設備に直接供給したり、あるいは、水道管から取り込んだ水道水を温水にして貯水タンクに貯水し、この貯水された温水を家庭内水道設備に供給するものである。
【００１４】
この給湯器用貯水タンク１は図示しないフレーム内に図示しない熱交換器と給水タンクを内蔵し、このフレームに、複数の側板１００と天板２００を取り付けて屋外設置用筺体１０を構成する。この実施例に係る屋外設置用筺体１０では、側板１００を左右の側板パネル１０１、１０２と、前後の前パネル１０３、背面パネル１０４とで構成する。また、側板パネル１０１、１０２は、前後に回り込んで形成され、この正面と背面に回り込んだ側板パネル１０１と１０２の間に、前パネル１０３と背面パネル１０４を取り付ける前後対称な構造としている。なお、この実施例では、前パネル１０３の上部に、背面パネル１０４にはない、操作パネル部２０を設けている。この操作パネル部２０は、その前部を開閉蓋２１で覆う構造を採用しており、この開閉蓋２１を解放することにより、図示しない操作スイッチを露出させて操作することができる。また、天板２００は、鋼板をプレス加工や折り曲げ加工を施すことにより、周囲の端部が側板１００の上端部を覆う天板構造を採用している。
【００１５】
そして、この実施例に係る給湯器用貯水タンク１の大きな特徴は、筺体構造の既存の構造体を用いて雨だれによる汚れを軽減することができる屋外設置用筺体１０とした点にある。
【００１６】
即ち、この実施例のような給湯器用貯水タンク１は、高さが２ｍ前後の大きな箱形の外観を備えているために、戸建住宅の敷地の隅や、集合住宅のベランダの隅に設置されるケースが一般的である。また、この機器は、室内に設置される図示しないコントローラで操作され、また、メンテナンスもあまり必要でないことから、一度設置されると、利用者は手に触れない機器となっている。
【００１７】
一方、この給湯器用貯水タンク１は、大きな筺体であるがために、その周囲に広い側板１００を備えており、側板１００に雨水が当たるため、これら雨水による汚れが付着するとい課題がある。特に、この大きな側板１００をつたって流れる雨だれによる汚れは、目立つものである。しかも、この給湯器用貯水タンク１は高さのある筺体であるために、この雨だれによる汚れが付着した屋外設置用筺体１０の外観が住宅の外から見えやすく、住宅の美観を悪くするとの課題もある。
【００１８】
そこで、１つの解決策として、給湯器用貯水タンク１に屋根や雨どいを付けることが考えられる。しかし、この大きな給湯器用貯水タンク１を設置する環境はさまざまであり、この多様な設置環境に対応して屋根や雨どいを付けることには大きな課題がある。
【００１９】
そこで、この発明者らは、給湯器用貯水タンク１の筺体周囲の壁面がメンテナンスのために複数の側板１００で覆われているのに着目し、この２つの側板１００の突き合わせ部分を凹状の溝部１６０とすることで、この溝部１６０を天板２００から流れる雨水を接地面まで導くための通路とした。
【００２０】
この実施例では、図２の（ｂ）図に示すように、正面に回り込んだ側板パネル１０１と１０２の端部を内側に一段奥まった凹状の段差部１６１を形成し、この両側の一対の段差部１６１に、この一対の段差部１６１の間より横幅寸法の小さい前パネル１０３を取り付ける構造とした。前後に合わせて４本の凹状の溝部１６０を設けることができる。
【００２１】
従来の筺体構造では、一対の側板の前面に前パネルを取り付ける際には、部材間を隙間なく取り付けることにより、デザイン性を向上させるのが一般的である。しかし、この実施例では、あえてこの部材間の隙間を大きくとることにより、水路として活用するとともに、部材間の嵌合精度を意識することなく製造／組み立てることができる。なお、この実施例では、背面パネル１０４も前パネル１０３と同様な取り付け構造としている。
【００２２】
また、この実施例では、側板１００に形成した凹状の溝部１６０へ雨水を導く凹状通路２０１を天板に形成している。この実施例では、天板２００の上面周囲の終端部２０２に凸状の縁部を残すように、その内側に形成される凹状水路２０３と、前記凹状の溝部１６０と連通する凹状水路２０３の所定の位置に形成される開口通路２０４とを含んで凹状通路２０１を形成している。
【００２３】
従来の筺体構造においては、筺体の強度を維持するため、広い鋼板を備えた筺体においては、内部フレームを強化したり、あるいは、鋼板に凹凸模様を付ける構造としている。しかし、天板の場合、凹模様を付けると、雨水がたまるため、凸模様を付けることが一般的である。特に、天板が広い面積を備えている筺体においては、天板に付着した塵埃が雨水によって周囲の側面に流れることにより、すじ状の雨だれ模様が付いてしまう。
【００２４】
そこで、この実施例では、天板２００の上面周囲に断面がＶ字状の凹状水路２０３を形成することにより、天板２００に降った雨水が、この凹状水路２０３に集まるように形成し、この凹状水路２０３に集まった雨水を、開口通路２０４を介して、凹状の溝部１６０へ導くように形成している。
【００２５】
このように、この実施例によれば、天板２００に降った雨水は、この天板２００上に付着した塵埃とともに周囲の凹状水路２０３に導かれる。そして、凹状水路２０３に導かれた塵埃を含んだ雨水は、開口通路２０４を介して、凹状の溝部１６０に沿って流れて接地面に排出される。一方、側板１００にも雨水は当たるものの、この側板１００は、もともと塵埃が付着し難い垂直面であるために、側板1００に降った雨水による雨だれ模様は発生し難い。
【００２６】
したがって、この実施例によれば、従来の単純なつき合わせによる一対の側板の間に凹状の溝部１６０を形成することにより、突き合わせの精度を低く抑えて加工工程と組立工程の簡素化が図れるとともに、天板２００に前記凹状の溝部１６０へ雨水を導く凹状通路２０１を備えることにより、天板２００の強度を強化しつつ、天板２００に降る雨水を凹状の溝部１６０へ導いて接地面に排出することができるから、天板２００の周囲の側板の雨だれによるよごれを軽減することができる。
【００２７】
図３と図４を参照して、第２実施例に係る給湯器用貯水タンクについて説明する。ここで、図３は第２実施例に係る給湯器用貯水タンクの外観図であり、（ａ）図が平面図、（ｂ）図が正面図、（ｃ）図が右側面図、（ｄ）図が裏面図である。図４は、天板部分の詳細図であり、（ａ）図が拡大斜視図、（ｂ）図は（ａ）図のＡＡ断面図、（ｃ）図は（ａ）図のＢＢ断面図である。なお、第１実施例と同様な部位や矢印などは同一符号をもって示して、重複した説明を省略する。
【００２８】
図３において、この実施例に係る給湯器用貯水タンク２は、高さ寸法が２２３５ｍｍ、奥行き寸法が６６０ｍｍ、横幅寸法が５４０ｍｍの大きさを備えたものである。この実施例もまた、天板２００の上面の周囲に凹状通路２０１を備えて、天板２００に降った雨水を塵埃とともに凹状通路２０１に集め、この集めた雨水を側板１００に設けた凹状の溝部１６０を介して接地面に排出する構造を備えている。第１実施例と違う点は、天板２００と側板１００の具体的な構造である。以下、この第１実施例と違う点を主体に説明する。
【００２９】
先ず、側板１００は、両側に大きな丸みをもって形成される上下に配列した３枚のパネルから構成される前パネル１１１と、側面から背面に大きな丸みをもって形成される両側板１１２と、両側板１１２の間に配置される背面パネル１１３とを含んで構成される。この実施例では、このパネル構造の違いにより、背面の背面パネル１１３の両側に、合計２本の凹状の溝部１６０が形成される。この溝部１６０の構造は、第１実施例と同様である。
【００３０】
一方、天板２００は、図４に示すように、中央が大きく開放される枠組筺体２１０と、この枠組筺体２１０の大きな開口部２１１を塞ぐ天板パネル２１２とを含んで構成される。枠組筺体２１０は、その周囲を側板１００と連続するように立ち上げて形成される周囲枠２１３を備え、その内側の周囲に凹状水路２１４が形成されている。凹状水路２１４は、中央の開口部２１１を囲むように形成される。また、周囲枠２１３は、凹状の溝部１６０と連続する切欠部２１５が形成される。そして、この切欠部２１５は、凹状水路２１４の底部２１６と連続して形成される。
【００３１】
天板パネル２１２は、その周囲が内側に折り曲げられたプレス成型の加工部材であり、この内側に折り曲げられた縁体２１７が前記凹状水路２１４に嵌合するように上方から挿入されて取り付けられている。
【００３２】
この実施例によれば、天板２００を、複数の部材の組み合わせ、即ち、天板パネル２１２と周囲枠２１３とを組み合わせる構造としているので、各部材の構造を簡素化と小型化を行うことができる。
【００３３】
図５を参照して、第３の実施例に係る給湯器用貯水タンク３を具体的に説明する。ここで、図５は第３実施例に係る給湯器用タンクの概略構成図である。
【００３４】
この実施例の給湯器用貯水タンク３は、側板１００の構造を第２実施例と同様な構造とするものであり、背面パネル１１３の両側に凹状の溝部１６０を備えている。そして、この第３実施例の特徴的な点は、天板２００を構成する鋼板に、凹状の溝部１６０に雨水を導く凹凸形状を備えたものである。
【００３５】
即ち、前記第１、第２実施例の天板２００に設けた凹状通路２０１では、上面の周囲に凹状水路２０３や凹状水路２１４を設ける構造を説明したが、この発明では、この構造に限定されるものではなく、天板２００に降る雨水を凹状の溝部１６０に導く構造であれば同様の効果がある。この第３実施例は、天板２００の主体となる天板パネル２２０を凹状の溝部１６０に向かって徐々に傾斜する凹凸形状としている。
【００３６】
この実施例では、凹状の溝部１６０が左右に２本設けられているので、天板パネル２２０を、２本の凹状の溝部１６０の間で左右に２分割し、この分割線部２２１と、その両側の縁部２２２と、前部縁部２２３とを最頂点部２２４とし、この最頂部２２４から凹状の溝部１６０が設けられる２つの谷部２２５に向かって傾斜する構造としている。この実施例では、鋼板に単純なプレス加工を施すことにより、上記構造を実現している。
【００３７】
この構造によれば、天板２００の上面部に単純なプレス加工を施すことで、強度を維持しつつ、凹状の溝部１６０に雨水を導く凹状通路２０１を形成することができる。なお、図５の実施例の凹凸形状は、一例であって、これに限定されるものではない。即ち、この凹凸形状は、天板２００の周囲の最頂点部２２４から、凹状の溝部１６０近傍の谷部２２５に向かって傾斜する形状であれば同様な効果を得ることができる。
【００３８】
次に、図６を参照して、第４の実施例に係る給湯器用貯水タンク４を具体的に説明する。ここで、図６は、第４実施例に係る給湯器用タンクの概略構成図であり、（ａ）図が部品展開図、（ｂ）図が天板近傍の縦断面図、（ｃ）図は（ｂ）図の他の応用例を示す天板近傍の縦断面図である。
【００３９】
この実施例の給湯器用貯水タンク４もまた、側板１００の構造を第２実施例と同様な構造とするものであるが、背面パネル１１３の両側に凹状の溝部１６０を積極的に設ける構造ではなく、この背面パネル１１３を覆う大きさを備えた飾りパネル１２０を、背面パネル１１３との間に隙間１２１をもって設けた点で相違する。
【００４０】
つまり、この実施例では、天板２００を、側板１００と連続するように周囲に立ちあがって形成される周囲枠体２３０と、この周囲枠体２３０の内側を形成する天板パネル２３１とから構成される。周囲枠体２３０の上端部は、その背面パネル１１３の近傍を除いて、最頂点部２２４となるように形成される。天板パネル２３１は、背面パネル１１３側が谷部２２５となるように、この背面パネル１１３側へ傾斜する傾斜面に形成される。そして、周囲枠体２３０の背面パネル１１３の上部近傍は、谷部２２５から背面パネル１１３へ雨水が流れるように切欠部２３２が形成される。
【００４１】
この実施例では、（ｂ）図に示すように、天板２００に降り注ぐ雨水は、この天板２００に付着した塵埃とともに、天板パネル２３１の傾斜面に沿って谷部２２５に導かれる。谷部２２５には、切欠部２３２が形成されているので、谷部２２５に導かれた雨水は、背面パネル１１３に伝わって接地面に排出される。ここで、背面パネル１１３と飾りパネル１２０との間には隙間１２１が形成されるため、飾りパネル１２０によって、雨水が他の両側板１１２へ伝わるのを防ぐことができる。そして、背面パネル１１３は、結果的に、雨だれによる汚れが付着することとなるが、この汚れは飾りパネル１２０により隠ぺいされるので、意匠性を損なうことが軽減される。しかも、飾りパネル１２０を着脱可能な構造とすれば、雨だれによる汚れが付着した背面パネル１１３の清掃性も改善できる。
【００４２】
また、（ｂ）図の実施例では、飾りパネル１２０に隙間１２１をもって取り付ける構造を説明したが、（ｃ）図のように、飾りパネル１２０に屋外設置用筺体１０に隙間なく取り付ける構造としてもよい。この場合、背面パネル１１３を一段奥まって設けることで、この背面パネル１１３と飾りパネル１２０との間に排水路１２２を形成する。これにより、飾りパネル１２０を外側に張り出すことなく隙間１２１と同様な効果を得ることができる。
【００４３】
このように、この実施例では、天板２００に降る雨水を、周囲枠体２３０と傾斜する天板パネル２３１と切欠部２３２により、飾りパネル１２０で覆われる１つの周側面（背面パネル１１）に導いて排出することができる。
【００４４】
次に、図７を参照して、第５の実施例に係る給湯器用貯水タンク５を具体的に説明する。ここで、図７は、第５実施例に係る給湯器用タンクの概略構成図であり、（ａ）図が天板近傍の外観図、（ｂ）図が（ａ）図におけるＡＡ縦断面図、（ｃ）図は（ａ）図におけるＢＢ縦断面図である。
【００４５】
この実施例の給湯器用貯水タンク５は、前記第４実施例の隙間１２１を屋外設置用筺体１０の１つの角部１２３に設けたものである。
【００４６】
つまり、この実施列では箱形の屋外設置用筺体１０の２つの側板１１５，１１６の間に前記隙間１２１と同様な隙間１１７を形成し、その内側には隙間１１７を塞ぐ内板１１８を設け、この隙間１１７の表面には、飾りパネル１２０を着脱可能に取り付ける構造を採用している。そして、天板２００には、この隙間１１７に雨水を導く凹状通路２０１を設けている。この凹状通路２０１は、前記第１から第４実施例の度の構造を採用してもよいが、この第５実施例では図４で説明した構造を採用している。ここでは重複した説明を省略する。
【００４７】
この実施例では、天板２００に降る雨水は塵埃とともに凹状通路２０１によって隙間１１７に導かれて接地面に排出されるので、前記第４実施例と同様な作用効果を得ることができる。
【００４８】
次に、図８を参照して、第６の実施例に係る給湯器用貯水タンク６を具体的に説明する。ここで、図８は、第６実施例に係る給湯器用タンクの概略構成図である。
【００４９】
この第６実施例は、前記第５実施例の構造を更に簡素化した構造とすることで、第５実施例と同様な作用効果を得るとともに、部品点数を低減して、組立性や美観をも向上させたものである。
【００５０】
即ち、この第６実施例に係る屋外設置用筺体１０は、この筺体１０の４隅の角部１２３を、その内部に中空部１３１を備えた連結部材１３０を採用する。この連結部材１３０は、樹脂材料や金属材料で形成される引き抜き材でもよい。また、この屋外設置用筺体１０の骨格構造となるフレーム構造としても、あるいは、このフレーム構造に取り付ける構造でもよい。この引き抜き材１３０は、吹出し内に示すように、断面が丸み形状を備えたＬ型となるように形成され、その両端部１３２には、屋外設置用筺体１０の周側面を構成する側板１０５を着脱可能に取り付ける引っ掛け部１３３が設けられている。
【００５１】
一方、この実施例でも、天板２００は前記第１から第５実施例のどの構造を採用してもよいが、この第６実施例では前記第１実施例の天板構造を採用している。詳細については重複するため省略する。
【００５２】
この第６実施例によれば、天板２００に降る雨水は塵埃とともに凹状通路２０１によって中空部１３１に導かれて接地面に排出されるので、前記実施例と同様な作用効果を得ることができる。しかも、連結部材１３０を採用することにより、部品点数を低減して、組立性や美観をも向上さることができる。
【００５３】
このように、この実施例に係る屋外設置用筺体は、複数の側板と天板とを含んで形成され、一対の前記側板の間に、この屋外設置用筺体の接地面に雨水を排水する排水通路を形成し、前記天板に、この天板に降る雨水を前記排水通路の上端に導くための凹状通路を形成した構造を備えたものである。
【００５４】
この実施例によれば、従来の単純なつき合わせによる一対の側板の間に排水通路を形成することにより、突き合わせの精度を低く抑えて加工工程と組立工程の簡素化が図れるとともに、天板に前記排水通路へ雨水を導く凹状通路を備えることにより、天板の強度を強化しつつ、天板に降る雨水を排水通路を介して接地面に排出することができるから、天板の周囲の側板の雨だれによるよごれを軽減することができる。
【００５５】
この場合、前記排水通路は、一対の側板の結合部に形成される凹状の溝部でもよいし、着脱可能な飾りパネルで隠蔽される屋外設置用筺体の１つの側面でよいし、一対の側板の結合部に形成される凹状の溝部と、この溝部を隠蔽する飾りパネルでもよいし、一対の側板の結合部に設けられる連結部材の内部に形成される中空部でもよい。
【００５６】
更に、前記凹状通路は、天板の上面周囲に形成される凹状の排水溝と、この排水溝と排水通路とを結ぶ連通路とを含んで構成される構造であってもよいし、天板周囲の最頂点部から前記排水通路の上端部近傍の谷部に向かって傾斜する傾斜面を備えた構造でもよい。
【符号の説明】
【００５７】
１…給湯器用貯水タンク、１０…屋外設置用筺体、２０…操作パネル部、２１…開閉蓋、１００…側板、１０１、１０２…側板パネル、１０３…前パネル、１０４…背面パネル、１０５…側板、１１１…前パネル、１１２…両側板、１１３…背面パネル、１１５，１１６…側板、１１７…隙間、１１８…内板、１２０…飾りパネル、１２１…隙間、１２２…排水路、１２３…角部、１３０…連結部材、１３１…中空部、１３２…両端部、１３３…引っ掛け部、１５０…結合部、１６０…溝部、１６１…段差部、２００…天板、２０１…凹状通路、２０２…終端部、２０３…凹状水路、２０４…開口通路、２１０…枠組筺体、２１１…開口部、２１２…天板パネル、２１３…周囲枠、２１４…凹状水路、２１５…切欠部、２１６…底部、２１７…縁体、２２０…天板パネル、２２１…分割線部、２２２…縁部、２２３…前部縁部、２２４…最頂点部、２２５…谷部、２３０…周囲枠体、２３１…天板パネル、２３２…切欠部
【図１】
2011214726.tif 000003
【図２】
2011214726.tif 000004
【図３】
2011214726.tif 000005
【図４】
2011214726.tif 000006
【図５】
2011214726.tif 000007
【図６】
2011214726.tif 000008
【図７】
2011214726.tif 000009
【図８】
2011214726.tif 000010